(57)【要約】【課題】ヒーターパイプが運搬中に割れることがない安全な電気加熱調理器を提供する。【解決手段】加熱室５１を形成する内筐体５０と、内筐体５０内の上下に配された上、下ヒーター５３、５４とを備え、上、下ヒーター５３、５４のそれぞれを、電熱線５３Ａ、５４Ａと、電熱線５３Ａ、５４Ａの両端に装着されると共に穴５３Ｅ、５４Ｅを有する陶器５３Ｂ、５４Ｂと、両端が陶器５３Ｂ、５４Ｂで支持されると共に電熱線５３Ａ、５４Ａの外方に装着される耐熱性のヒーターパイプ５３Ｃ、５４Ｃと、複数の開口５３Ｈ、５４Ｈを有すると共に両端が穴５３Ｅ、５４Ｅに係止されるヒーターガード５３Ｄ、５４Ｄで構成したもので、ヒーターガード５３Ｄ、５４Ｄで、陶器５３Ｂ、５４Ｂの傾きが規制され、ヒーターパイプ５３Ｃ、５４Ｃが、陶器５３Ｂのヒーターパイプ５３Ｃ、５４Ｃを支持する部分の端面に当たりにくくなるので、割れにくくなる。【選択図】図１
2008002726.tif 000002
【特許請求の範囲】
【請求項１】
前面に開口を有する加熱室を形成する内筐体と、該開口を開閉する扉と、前記内筐体内の上下に配された上、下ヒーターとを備え、前記上、下ヒーターのそれぞれを、電熱線と、前記電熱線の両端に装着されると共に穴を有する陶器と、両端が前記陶器で支持されると共に前記電熱線の外方に装着される耐熱性のヒーターパイプと、複数の開口を有すると共に両端が前記穴に係止されるヒーターガードで構成した電気加熱調理器。
【発明の詳細な説明】
【技術分野】
【０００１】
本発明は、一般家庭用のオーブントースター等、ヒーターを備えた電気加熱調理器に関するものである。
【背景技術】
【０００２】
従来、この種の電気加熱調理器は、耐熱性のヒーターパイプの内部に電熱線を内装し、この電熱線とともにヒーターパイプの両端には陶器を装着させるのが一般的な構成である（例えば、特許文献１参照）。
【０００３】
図４は、前記特許文献１に記載された従来の電気加熱調理器を示すものである。
【０００４】
図４において、１１は、前面に開口（図示せず）を有する加熱室１０を形成する内筐体で、内部に上、下ヒーター１３、１４を備えている。１５は焼き網で、上、下ヒーター１３、１４の間に配してある。上、下ヒーター１３、１４は、コイル状の電熱線１６、１７を内装したヒーターパイプ１８、１９と、ヒーターパイプ１８、１９の両端に配した陶器２０、２１により構成されている。
【特許文献１】特開２００４−２２２１７号公報（第５頁、第１図）
【発明の開示】
【発明が解決しようとする課題】
【０００５】
しかしながら、前記従来の電気加熱調理器の構成では、特に、上、下ヒーター１３、１４は、ヒーターパイプ１８、１９や陶器２０、２１という寸法安定性の悪い材料で構成している為、嵌合部のガタを大きくする必要がある。ヒーターパイプ１８、１９と陶器２０、２１のガタが大きいと、上ヒーター１３や下ヒーター１４を内筐体１１に組み込んだ後、ヒーターパイプ１８、１９が陶器２０、２１の挿入穴２０ａ、２１ａの端面に当たり、電気加熱調理器の輸送時の衝撃等でヒーターパイプ１８、１９が割れるという課題を有していた。
【０００６】
本発明は、前記従来の課題を解決するもので、ヒーターパイプと陶器のガタが大きくても、ヒーターパイプの割れが防止できる安全性に優れた電気加熱調理器を提供することを目的とするものである。
【課題を解決するための手段】
【０００７】
前記従来の課題を解決するために、本発明の電気加熱調理器は、前面に開口を有する加熱室を形成する内筐体と、該開口を開閉する扉と、前記内筐体内の上下に配された上、下ヒーターとを備え、前記上、下ヒーターのそれぞれを、電熱線と、前記電熱線の両端に装着されると共に穴を有する陶器と、両端が前記陶器で支持されると共に前記電熱線の外方に装着される耐熱性のヒーターパイプと、複数の開口を有すると共に両端が前記穴に係止されるヒーターガードで構成したもので、例えば、ヒーターガードを寸法安定性に優れた板金等で形成すれば、そのヒーターガードで陶器の傾きが規制されて、ヒーターパイプが、陶器のヒーターパイプを支持する部分の端面に当たりにくくなるので、ヒーターパイプが外方からの衝撃で割れることがなく安全性の高い電気加熱調理器を提供することができる。
【発明の効果】
【０００８】
本発明の電気加熱調理器は、ヒーターガードで、陶器の傾きが規制されて、ヒーターパイプが、陶器で支持される部分の端面に当たりにくくなるので、ヒーターパイプが外方からの衝撃で割れることがなく安全性の高いものである。
【発明を実施するための最良の形態】
【０００９】
第１の発明は、前面に開口を有する加熱室を形成する内筐体と、該開口を開閉する扉と、前記内筐体内の上下に配された上、下ヒーターとを備え、前記上、下ヒーターのそれぞれを、電熱線と、前記電熱線の両端に装着されると共に穴を有する陶器と、両端が前記陶器で支持されると共に前記電熱線の外方に装着される耐熱性のヒーターパイプと、複数の開口を有すると共に両端が前記穴に係止されるヒーターガードで構成したもので、例えば、ヒーターガードを寸法安定性に優れた板金等で形成すれば、そのヒーターガードで陶器の傾きが規制されて、ヒーターパイプが、陶器のヒーターパイプを支持する部分の端面に当たりにくくなるので、ヒーターパイプが外方からの衝撃で割れることがなく安全性の高い電気加熱調理器を提供することができる。
【００１０】
以下本発明の実施の形態について、図面を参照しながら説明する。なお、この実施の形態によって本発明が限定されるものではない。
【００１１】
（実施の形態１）
図１は、本発明の実施の形態１における電気加熱調理器の断面図、図２は、同電気加熱調理器の正面図、図３は、同電気加熱調理器の要部拡大斜視図である。
【００１２】
図１〜３において、５０は、前面に開口５６を有する加熱室５１を形成する内筐体で、扉５２で開口５６を開閉している。内筐体５０内の上下には、上ヒーター５３、下ヒーター５４が配され、上、下ヒーター５３、５４との間には焼き網５５を配している。上ヒーター５３、下ヒーター５４のそれぞれは、内部に電熱線５３Ａ、５４Ａを内装しており、この電熱線５３Ａ、５４Ａの両端には陶器５３Ｂ、５４Ｂを装着するとともに、電熱線５３Ａ、５４Ａの外方は、耐熱性のヒーターパイプ５３Ｃ、５４Ｃを装着している。
【００１３】
５３Ｄ、５４Ｄは、ヒーターパイプ５３Ｃ、５４Ｃを保護するヒーターガードで、寸法安定性に優れた板金等で略コの字状に形成され、複数の開口５３Ｈ、５４Ｈを備えている。ヒーターガード５３Ｄ、５４Ｄの両端には、陶器５３Ｂ、５４Ｂに設けた穴５３Ｅ、５４Ｅに挿入される舌部５３Ｆ、５４Ｆが形成され、さらにその舌部５３Ｆ、５４Ｆのそれぞれに抜け止め用の爪５３Ｇ、５４Ｇが形成されており、ヒーターガード５３Ｄ、５４Ｄの両端を、陶器５３Ｂ、５４Ｂの穴５３Ｅ、５４Ｅに挿入して係止している。この上ヒーター５３、下ヒーター５４のそれぞれは、内筐体５０の側壁５０Ａに設けた開口５０Ｂに挿入され、そこで保持される。
【００１４】
以上のように構成された電気加熱調理器について、以下その動作、作用を説明する。
【００１５】
まず、寸法安定性の悪い陶器５３Ｂ、５４Ｂに設けた穴５３Ｌ、５４Ｌに、寸法安定性の悪いヒーターパイプ５３Ｃ、５４Ｃを挿入してガタが大きくても、陶器５３Ｂ、５４Ｂ間には寸法安定性の良い板金で構成したヒーターガード５３Ｄ、５４Ｄを配し、それぞれの両端を陶器５３Ｂ、５４Ｂの穴５３Ｅ、５４Ｅに挿入して係止しているので、陶器５３Ｂ、５４Ｂの傾きが規制される。この為、電気加熱調理器の輸送時に衝撃を受けても、ヒーターパイプ５３Ｃ、５４Ｃが割れることがない。
【００１６】
以上のように、本実施の形態によれば、ヒーターパイプ５３Ｃ、５４Ｃの両端に配した陶器５３Ｂ、５４Ｂ間にヒーターガード５３Ｄ、５４Ｄを挿入して係止する構成にしたことにより、ヒーターパイプ５３Ｃ、５４Ｃが割れにくい安全性の高い電気加熱調理器を提供することができる。
【産業上の利用可能性】
【００１７】
以上のように、本発明にかかる電気加熱調理器は、外部から衝撃が加わっても、加熱室内に配され割れ易いガラス等からなるヒーターパイプが割れることが無いもので、ヒーターパイプを用いたオーブンやロースター等の各種電気加熱調理器に広く適用できる。
【図面の簡単な説明】
【００１８】
【図１】本発明の実施の形態１における電気加熱調理器の断面図
【図２】同電気加熱調理器の正面図
【図３】同電気加熱調理器の要部拡大斜視図
【図４】従来の電気加熱調理器の縦断面図
【符号の説明】
【００１９】
５０  内筐体
５１  加熱室
５２  扉
５３  上ヒーター
５３Ａ、５４Ａ  電熱線
５３Ｂ、５４Ｂ  陶器
５３Ｃ、５４Ｃ  ヒーターパイプ
５３Ｄ、５４Ｄ  ヒーターガード
５３Ｅ、５４Ｅ  穴
５３Ｈ、５４Ｈ  開口
５４  下ヒーター
５５  焼き網
【図１】
2008002726.tif 000003
【図２】
2008002726.tif 000004
【図３】
2008002726.tif 000005
【図４】
2008002726.tif 000006